【手続補正書】
【提出日】平成22年3月2日(2010.3.2)
【手続補正１】
【補正対象書類名】特許請求の範囲
【補正対象項目名】全文
【補正方法】変更
【補正の内容】
【特許請求の範囲】
【請求項１】
電気光学素子と、映像信号を書き込む書き込みトランジスタと、書き込みトランジスタによって書き込まれた映像信号を保持する保持容量と、保持容量に保持された映像信号に基づいて電気光学素子を駆動する駆動トランジスタとを含む画素が行列状に配置された画素アレイ部と、
画素アレイ部の画素行ごとに配線され、駆動トランジスタに電流を供給する電源供給線に対して第１電位と当該第１電位よりも低い第２電位とを選択的に供給する第１走査回路と、
画素アレイ部の画素行ごとに書き込みトランジスタを駆動することによって画素アレイ部の各画素を行単位で選択しつつ、第２電位が選択されている期間に書き込みトランジスタを導通状態とし、第２電位から第１電位への切り替え後に書き込みトランジスタを非導通状態にする第２走査回路と、
画素アレイ部の画素列ごとに配線された信号線に対して、映像信号と当該映像信号の基準となる第１オフセット電圧と当該第１オフセット電圧と異なる第２オフセット電圧とを選択的に供給するとともに、第２電位が選択されている期間において少なくとも書き込みトランジスタが導通状態にあるときに第２オフセット電圧を選択し、第２電位から第１電位への切り替え後でかつ書き込みトランジスタが非導通状態になる前に第２オフセット電圧に代えて第１オフセット電圧を選択する選択回路とを備えた表示装置。
【請求項２】
第２電位から第１電位への切り替えタイミングから書き込みトランジスタの非導通状態への遷移タイミングまでの期間において、駆動トランジスタのゲート−ソース間電圧を当該駆動トランジスタの閾値電圧に収束させて当該閾値電圧を保持容量に保持する動作が行われる請求項１に記載の表示装置。
【請求項３】
第２走査回路は、駆動トランジスタのゲート−ソース間電圧が当該駆動トランジスタの閾値電圧に収束する前に、第２オフセット電圧に代えて第１オフセット電圧を選択する請求項２に記載の表示装置。
【請求項４】
電気光学素子と、映像信号を書き込む書き込みトランジスタと、書き込みトランジスタによって書き込まれた映像信号を保持する保持容量と、保持容量に保持された映像信号に基づいて電気光学素子を駆動する駆動トランジスタとを含む画素が行列状に配置されてなる画素アレイ部と、
画素アレイ部の画素行ごとに配線され、駆動トランジスタに電流を供給する電源供給線に対して第１電位と当該第１電位よりも低い第２電位とを選択的に供給する第１走査回路と、
画素アレイ部の画素行ごとに書き込みトランジスタを駆動することによって画素アレイ部の各画素を行単位で選択する第２走査回路と、
画素アレイ部の画素列ごとに配線された信号線に対して、映像信号と当該映像信号の基準となる第１オフセット電圧と当該第１オフセット電圧と異なる第２オフセット電圧とを選択的に供給する選択回路とを備えた表示装置の駆動方法であって、
第２電位が選択されている期間に第２オフセット電圧を選択しかつ書き込みトランジスタを導通状態にし、
次いで、第２電位から第１電位へ切り替え、
次いで、第２オフセット電圧に代えて第１オフセット電圧を選択し、
しかる後、書き込みトランジスタを非導通状態にする表示装置の駆動方法。
【請求項５】
電気光学素子と、映像信号を書き込む書き込みトランジスタと、書き込みトランジスタによって書き込まれた映像信号を保持する保持容量と、保持容量に保持された映像信号に基づいて電気光学素子を駆動する駆動トランジスタとを含む画素を行列状に配置した画素アレイ部と、
画素アレイ部の画素行ごとに配線され、駆動トランジスタに電流を供給する電源供給線に対して第１電位と当該第１電位よりも低い第２電位とを選択的に供給する第１走査回路と、
画素アレイ部の画素行ごとに書き込みトランジスタを駆動することによって画素アレイ部の各画素を行単位で選択しつつ、第２電位が選択されている期間に書き込みトランジスタを導通状態とし、第２電位から第１電位への切り替え後に書き込みトランジスタを非導通状態に遷移させる第２走査回路と、
画素アレイ部の画素列ごとに配線された信号線に対して、映像信号と当該映像信号の基準となる第１オフセット電圧と当該第１オフセット電圧と異なる第２オフセット電圧とを選択的に供給するとともに、第２電位が選択されている期間において少なくとも書き込みトランジスタが導通状態にあるときに第２オフセット電圧を選択し、第２電位から第１電位への切り替え後でかつ書き込みトランジスタの非導通状態への遷移前に第２オフセット電圧に代えて第１オフセット電圧を選択する選択回路とを備えた表示装置を有する電子機器。
【手続補正２】
【補正対象書類名】明細書
【補正対象項目名】００７２
【補正方法】変更
【補正の内容】
【００７２】
これに対して、閾値電圧ＶｔｈがＶｔｈ２（Ｖｔｈ２＞Ｖｔｈ１）のとき、同じゲート−ソース間電圧Ｖｇｓに対応するドレイン−ソース間電流ＩｄｓがＩｄｓ２（Ｉｄｓ２＜Ｉｄｓ１）になる。すなわち、駆動トランジスタ２２の閾値電圧Ｖｔｈが変動すると、ゲート−ソース間電圧Ｖｇｓが一定であってもドレイン−ソース間電流Ｉｄｓが変動する。
【手続補正３】
【補正対象書類名】明細書
【補正対象項目名】００７７
【補正方法】変更
【補正の内容】
【００７７】
ここで、先述した式（１）のトランジスタ特性式から明らかなように、移動度μが大きいとドレイン−ソース間電流Ｉｄｓが大きくなる。したがって、負帰還における帰還量ΔＶは移動度μが大きくなるほど大きくなる。図８に示すように、移動度μの大きな画素Ａの帰還量ΔＶ１は、移動度の小さな画素Ｂの帰還量ΔＶ２に比べて大きい。
【手続補正４】
【補正対象書類名】明細書
【補正対象項目名】００８９
【補正方法】変更
【補正の内容】
【００８９】
［本実施形態の特徴部分］
そこで、本実施形態では、映像信号の信号電圧Ｖｓｉｇの書き込みに先立って書き込む基準電圧Ｖｏｆｓを、映像信号の信号電圧Ｖｓｉｇの基準となる第１オフセット電圧Ｖｏｆｓ１に固定にするのではなく、閾値補正準備期間における初期化動作では、基準電圧Ｖｏｆｓを第１オフセット電圧Ｖｏｆｓ１と異なる第２オフセット電圧Ｖｏｆｓ２、具体的には第１オフセット電圧Ｖｏｆｓ１よりも高い第２オフセット電圧Ｖｏｆｓ２に設定して駆動トランジスタ２２のゲート電位Ｖｇを第２のオフセット電圧Ｖｏｆｓ２に初期化し、閾値補正期間において駆動トランジスタ２２のゲート−ソース間電圧Ｖｇｓが閾値電圧Ｖｔｈに収束する前に基準電圧Ｖｏｆｓを第２オフセット電圧Ｖｏｆｓ２から第１オフセット電圧Ｖｏｆｓ１に切り替えることを特徴としている。
【手続補正５】
【補正対象書類名】明細書
【補正対象項目名】００９７
【補正方法】変更
【補正の内容】
【００９７】
上記構成の水平駆動回路６０において、スイッチ制御信号ＧＯＦＳ２は、閾値補正準備期間（ｔ１−ｔ３）において、走査線電位ＷＳが高電位側に遷移することによって書き込みトランジスタ２３が導通状態になる時刻ｔ２以前にアクティブ状態（高電位）になる。これにより、第２オフセット電圧Ｖｏｆｓ２が信号伝送線６３から選択スイッチ６６を介して信号線３３に供給される。
【手続補正６】
【補正対象書類名】明細書
【補正対象項目名】０１０２
【補正方法】変更
【補正の内容】
【０１０２】
次に、閾値補正期間（ｔ３−ｔ４）に入った後、時刻１２でスイッチ制御信号ＧＯＦＳ２が非アクティブ状態（低電位）になると同時に、スイッチ制御信号ＧＯＦＳ１がアクティブ状態になる。これにより、第２オフセット電圧Ｖｏｆｓ２に代えて、それよりも低い第１オフセット電圧Ｖｏｆｓ１が信号伝送線６２から選択スイッチ６５を介して信号線３３に供給される。
【手続補正７】
【補正対象書類名】明細書
【補正対象項目名】０１０５
【補正方法】変更
【補正の内容】
【０１０５】
閾値補正期間が終了し、時刻ｔ１３でスイッチ制御信号ＧＯＦＳ１が非アクティブ状態になった後の動作については、先述した基本的な回路動作の場合と基本的に同じである。なお、スイッチ制御信号ＴＥＳＴは、時刻ｔ５でアクティブ状態になり、時刻ｔ８で非アクティブ状態になる。これにより、期間ｔ５−ｔ８において、映像信号の信号電圧Ｖｓｉｇが選択スイッチ６４を介して信号線３３に供給される。
【手続補正８】
【補正対象書類名】図面
【補正対象項目名】図１１
【補正方法】変更
【補正の内容】
【図１１】
2008310128.tif 000001